(57)【要約】【課題】既設屋根のリフォームに際して、特にそのケラバ部分における施工性及び雨仕舞いを良好にする。【解決手段】既設屋根材（１５）（１５）…上に新設屋根材（３０）（３０）…を重ね葺きするとともに、既設のケラバ水切り材（１０）を覆い隠すようにして新設のケラバ水切り材（４０）を取り付け、新設屋根材（３０）（３０）…の破風側端部（４２）（４２）…を、新設のケラバ水切り材（４０）の略コ字形の嵌合部（４７）に止水材（５４）を介して差し込むようにする。【選択図】  図１
2005002615.tif 000002
【特許請求の範囲】
【請求項１】
既設屋根材上に新設屋根材を重ね葺きするとともに、既設のケラバ水切り材を覆い隠すようにして新設のケラバ水切り材を取り付け、前記新設屋根材の破風側端部を、前記新設のケラバ水切り材の略コ字形の嵌合部に止水材を介して差し込むようにしたことを特徴とする屋根のケラバ構造。
【請求項２】
前記新設のケラバ水切り材は、既設破風の外側面にビス等の固定具によって固定される縦片と、既設のケラバ水切り材及び新設屋根材の破風側端部を上方より覆う横片とを略Ｌ字形に一体に連結してなり、その横片の先端部分を折曲形成してなる前記嵌合部の下側片を、既設野地板にビス等の固定具によって固定するようにした請求項１記載の屋根のケラバ構造。
【請求項３】
前記新設屋根材は、金属瓦等からなる請求項１又は２記載の屋根のケラバ構造。
【請求項４】
既設のケラバ水切り材を覆い隠すようにして取り付けるリフォーム用のケラバ水切り材であって、既設屋根材上に重ね葺きした新設屋根材の破風側端部を止水材を介して差し込む略コ字形の嵌合部を備えたことを特徴とするケラバ水切り材。
【請求項５】
既設破風の外側面にビス等の固定具によって固定される縦片と、既設のケラバ水切り材及び新設屋根材の破風側端部を上方より覆う横片とを略Ｌ字形に一体に連結してなり、その横片の先端部分を折曲形成してなる前記嵌合部の下側片を、既設野地板にビス等の固定具によって固定するようにした請求項４記載のケラバ水切り材。
【発明の詳細な説明】
【０００１】
【発明の属する技術分野】
この発明は、主として既設屋根のリフォームに際して適用されるケラバ構造及びケラバ水切り材に関する。
【０００２】
【従来の技術】
従来より、既設屋根をリフォームする場合、施工の簡略化を図るために、既設屋根材等を取り外すことなく、既設屋根材上に新設屋根材を重ね葺きするといった方法が採られていることがある。このようなリフォームに際して、ケラバ部分においては、例えば特許文献１に開示されているように、既設のケラバ水切り材を取り外すことなく、その既設のケラバ水切り材を覆うように新設のケラバ水切り材を取り付けるようにしている。
【０００３】
【特許文献１】特開平８−２１０３５号公報
【０００４】
【発明が解決しようとする課題】
しかしながら、特許文献１に開示されているケラバ構造においては、新設のケラバ水切り材によって新設屋根材の破風側端部が覆われてはいるものの、その破風側端部が確実に塞がれて止水された状態になっておらず、このため破風側端部から屋根内部へ雨水が浸入して雨漏りの原因となることがあった。
【０００５】
また、新設のケラバ水切り材は、２部材から構成されており、一方の部材を取り付けて新設屋根材を設置してから、さらに他方の部材を取り付けるといったように取付け作業が煩雑で、施工性が悪いといった不具合があった。
【０００６】
そこで、この発明は、上記の不具合を解消して、既設屋根のリフォームに際して、特にそのケラバ部分における施工性及び雨仕舞いを良好にすることを目的とする。
【０００７】
【課題を解決するための手段】
上記の課題を解決するため、この発明の屋根のケラバ構造は、既設屋根材上に例えば金属瓦等からなる新設屋根材を重ね葺きするとともに、既設のケラバ水切り材を覆い隠すようにして新設のケラバ水切り材を取り付け、前記新設屋根材の破風側端部を、前記新設のケラバ水切り材の略コ字形の嵌合部に止水材を介して差し込むようにしたことを特徴とする。
【０００８】
この発明の新設のケラバ水切り材は、既設のケラバ水切り材を覆い隠すようにして取り付けるものであって、既設屋根材上に重ね葺きした新設屋根材の破風側端部を止水材を介して差し込む略コ字形の嵌合部を備えたことを特徴とする。
【０００９】
また、前記新設のケラバ水切り材は、既設破風の外側面にビス等の固定具によって固定される縦片と、既設のケラバ水切り材及び新設屋根材の破風側端部を上方より覆う横片とを略Ｌ字形に一体に連結してなり、その横片の先端部分を折曲形成してなる前記嵌合部の下側片を、既設野地板にビス等の固定具によって固定するようになっている。
【００１０】
【発明の実施の形態】
以下、この発明の実施形態を図面に基づいて詳細に説明する。この発明の一実施形態に係る屋根のケラバ構造は、図１及び図２に示すように、既設屋根のリフォームに際して適用されるものである。
【００１１】
図において、（１）は、既設屋根の妻側において屋根傾斜方向に沿って設置した既設破風であって、この既設破風（１）は、例えば木製の破風下地（２）の外側面を覆うようにして破風化粧板（３）を取り付けてなる。
【００１２】
破風下地（２）の内側面上端には、例えば略Ｌ字形の切欠部（４）が形成されており、この切欠部（４）に既設野地板（５）の外端部すなわち破風側端部が載せられている。破風化粧板（３）の上端部は、下向きに折り返されており、その先端部分を斜め外方向へ折り曲げることによって係止部（６）が形成されている。また、破風化粧板（３）の下端部は、内方向へ折り曲げられた後に上向きに折り返されており、その先端部分を略コ字形に折曲することによって内向きに開放する係合溝部（７）が形成されている。
【００１３】
（１０）は、既設破風（１）を上方から覆うように取り付けられた既設のケラバ水切り材である。この既設のケラバ水切り材（１０）の外側端部は、下向きに折り曲げられており、その先端部分を内向きに折り返すことによって、破風化粧板（３）の係止部（６）に係合する係合部（１１）が形成されている。また、既設のケラバ水切り材（１０）の内側端部には、その先端部分を略コ字形に折曲することによって内向きに開放する嵌合部（１２）が形成されている。
【００１４】
（１５）（１５）…は、既設野地板（５）上に葺設された例えば平板状の既設屋根材である。そして、妻側に位置する既設屋根材（１５）（１５）…の破風側端部は、既設のケラバ水切り材（１０）の嵌合部（１２）に差し込まれて、覆い隠されている。なお、嵌合部（１２）を構成する下側片（１３）には、例えば屋根傾斜方向に沿った複数の上向きの突起（１４）（１４）…が内外方向に間隔をあけて形成されており、これら突起（１４）（１４）…が嵌合部（１２）に挿入した既設屋根材（１５）（１５）…の下面に当接することで、既設屋根材（１５）（１５）…と下側片（１３）との間の隙間から屋根内部への雨水の浸入を防止している。
【００１５】
（２０）は、破風下地（２）の内側面に固定された例えば木製のケラバ野縁である。そして、このケラバ野縁（２０）の下面に取り付けられた軒裏サイディング材（２１）の破風側端部が、破風化粧板（３）の係合溝部（７）に差し込まれている。
【００１６】
このようにして構成されている既設屋根に対して、既設屋根材（１５）（１５）…や既設のケラバ水切り材（１０）を取り外すことなく、既設屋根材（１５）（１５）…上にリフォーム用の新設屋根材（３０）（３０）…を重ね葺きするとともに、既設のケラバ水切り材（１０）を覆い隠すようにしてリフォーム用の新設のケラバ水切り材（４０）を取り付けるようにしている。
【００１７】
新設屋根材（３０）は、例えば金属瓦等からなり、図２に示すように、略平板状の本体部（３１）に対して、桁行方向に沿った棟側端部（３２）が上方に突出し、軒側端部（３３）が下方に突出している。本体部（３１）の裏面には、その軒側端部付近において例えばポリエチレン製の発泡体からなる薄肉の緩衝材（３５）が取り付けられ、その緩衝材（３５）よりも棟側において例えばポリスチレン製の発泡体からなる厚肉の断熱材（３６）が取り付けられている。
【００１８】
そして、これら新設屋根材（３０）（３０）…は、次のようにして既設屋根に設置されている。すなわち、まず最も軒側に位置する新設屋根材（３０）を、その軒側端部（３３）を既設屋根材（１５）（１５）…の軒側先端に係合したスタータ（３７）に係合するとともに、その棟側端部（３２）を既設屋根材（１５）（１５）…に固定した桟材（３８）に釘（３９）等によって固定することで、軒先部分に取り付ける。そして、この新設屋根材（３０）の棟側端部（３２）に、屋根傾斜方向に隣接する棟側の新設屋根材（３０）の軒側端部（３３）を被せるようにして、これら端部（３２）（３３）同士を互いに係合させるとともに、この棟側の新設屋根材（３０）の棟側端部（３２）を同様にして桟材（３８）に固定する。このようにして、屋根傾斜方向に隣接する新設屋根材（３０）（３０）を互いに係合させながら、軒側から棟側へ向かって順次葺いていくことによって、既設屋根材（１５）（１５）…上に新設屋根材（３０）（３０）…が重ね葺きされる。なお、図２において、（６０）は軒先母屋、（６１）は垂木、（６２）は既設屋根材（１５）（１５）…上に敷設されたアスファルトルーフィングである。
【００１９】
新設のケラバ水切り材（４０）は、例えば既設破風（１）に沿って延びる金属製の長尺部材であって、図１及び図３に示すように、既設破風（１）の外側面に固定される縦片（４１）と、既設のケラバ水切り材（１０）及び妻側に位置する新設屋根材（３０）（３０）…の破風側端部（４２）（４２）…を覆う横片（４３）とを備え、縦片（４１）の上端部と横片（４３）の外側端部を略Ｌ字形に一体に連結してなる。
【００２０】
縦片（４１）の下端部は、内向きに折り曲げられており、その先端部分を下向きに折り返すことによって略垂直な固定部（４５）が形成されている。そして、この固定部（４５）を既設破風（１）の外側面に当接させた状態で、外方よりビス（４６）をねじ込むことによって、縦片（４１）が既設破風（１）の外側面に固定されている。
【００２１】
横片（４３）には、略コ字形の内向きに開放する嵌合部（４７）が折曲形成されている。この嵌合部（４７）は、例えば横片（４３）の内側先端部分を外向きに折り返してなる上側片（４８）と、その上側片（４８）の外側端部を下向きに折り曲げてなる垂直片（４９）と、この垂直片（４９）の下端部を外向きに折り曲げてなる下側片（５０）とから構成されている。下側片（５０）は、例えば上側片（４８）よりも内方向へ突出しており、既設屋根材（１５）（１５）…上にアスファルトルーフィング（６２）を介して設置されるようになっている。そして、この下側片（５０）の突出部分に上方よりビス（５１）をねじ込むことによって、下側片（５０）が既設野地板（５）に固定されている。また、下側片（５０）には、屋根傾斜方向に沿った複数の上向きの突起（５２）（５２）…が桁行方向すなわち内外方向に間隔をあけて形成されている。
【００２２】
この横片（４３）の嵌合部（４７）には、例えばスポンジ等の発泡体からなる止水材（５４）を介して新設屋根材（３０）（３０）…の外側端部すなわち破風側端部（４２）（４２）…が差し込まれている。具体的には、嵌合部（４７）の垂直片（４９）と新設屋根材（３０）（３０）…の破風側端部（４２）（４２）…との間に、嵌合部（４７）と破風側端部（４２）（４２）…との隙間を屋根傾斜方向の全長に亘って埋めるようにして止水材（５４）が介装されており、これによって嵌合部（４７）と破風側端部（４２）（４２）…との隙間から屋根内部への雨水の浸入を阻止している。しかも、破風側端部（４２）（４２）…の嵌合部（４７）への差し込み状態において、新設屋根材（３０）（３０）…の下面（具体的には、断熱材（３６）（３６）…の下面）に下側片（５０）の突起（５２）（５２）…が当接することで、屋根内部への雨水の浸入をより確実に防止している。
【００２３】
また、この新設のケラバ水切り材（４０）の軒先側の先端部分には、縦片（４１）と横片（４３）とに跨るカバー片（５６）が一体に設けられている。このカバー片（５６）は、例えば平板状に形成されており、新設のケラバ水切り材（４０）の軒先側の先端部分を塞いで、外部からの見栄えを良好にしている。
【００２４】
なお、この発明は、上記実施形態に限定されるものではなく、この発明の範囲内で上記実施形態に多くの修正及び変更を加え得ることは勿論である。
【００２５】
【発明の効果】
以上の説明から明らかなように、この発明によれば、新設屋根材の破風側端部を新設のケラバ水切り材の嵌合部に止水材を介して差し込むようにしているので、新設屋根材の破風側端部と嵌合部との隙間が止水材によって塞がれて、破風側端部から屋根内部への雨水の浸入を確実に防止することができ、雨仕舞いに優れたケラバ構造とすることができる。
【００２６】
また、新設のケラバ水切り材は、縦片と嵌合部を折曲形成した横片とを略Ｌ字形に一体に連結してなる１部材から構成されているので、従来のように複数の部材によって構成する場合と比べて、施工性の向上を図ることができる。
【図面の簡単な説明】
【図１】この発明の一実施形態に係るケラバ構造の正面断面図である。
【図２】同じくその側面断面図である。
【図３】新設のケラバ水切り材の斜視図である。
【符号の説明】
（１）  既設破風
（５）  既設野地板
（１０）  既設のケラバ水切り材
（１５）  既設屋根材
（３０）  新設屋根材
（４０）  新設のケラバ水切り材
（４１）  縦片
（４２）  破風側端部
（４３）  横片
（４６）  ビス
（４７）  嵌合部
（５０）  下側片
（５１）  ビス
（５４）  止水材
【図１】
2005002615.tif 000003
【図２】
2005002615.tif 000004
【図３】
2005002615.tif 000005